(57)【特許請求の範囲】
【請求項１】
底板と、そこから立ち上がる平行な壁によって形成された光ファイバ心線接続部の収納凹部を備えた光ファイバ心線接続部収納ケースにおいて、前記収納凹部の長さ方向の中央部から一端側に片寄った位置に接続部引き上げ片を設けてなり、この接続部引き上げ片は、前記収納凹部と同様に底板及び平行な壁を有し、一方の壁の上端部が前記収納凹部の一方の壁の上端部と一体化され、それ以外の部分が前記収納凹部の底板及び壁から切り離されて、一方の壁の上端部が固定端、他方の壁の上端部が自由端となっており、全体として可とう性を有していることを特徴とする光ファイバ心線接続部収納ケース。
【請求項２】
収納凹部の一方の壁に、接続部引き上げ片によって収納凹部から光ファイバ心線接続部の一端側が引き上げられたときに、光ファイバ心線接続部の下側へ入り込んで光ファイバ心線接続部の落ち込みを防止する弾性舌片が形成されていることを特徴とする請求項１記載の光ファイバ心線接続部収納ケース。
【請求項３】
収納凹部の壁の上端に、光ファイバ心線接続部が収納凹部に収納されているときは光ファイバ心線接続部の飛び出しを防止し、接続部引き上げ片によって収納凹部から光ファイバ心線接続部の一端側が引き上げられたときは、光ファイバ心線接続部の下側へ入り込んで光ファイバ心線接続部の落ち込みを防止する突片が形成されていることを特徴とする請求項１記載の光ファイバ心線接続部収納ケース。
【発明の詳細な説明】
【０００１】
【発明の属する技術分野】
本発明は、光ファイバ心線接続部収納ケースに関するものである。
【０００２】
【従来の技術】
従来の光ファイバ心線接続部収納ケースの概略構成を図７及び図８に示す。図において、１０は光ファイバ心線接続部収納ケース、１２Ａ、１２Ｂは光ファイバ心線、１４は光ファイバ心線１２Ａ、１２Ｂの接続部である。１６は光ファイバ心線接続部収納ケース１０の底板、１８は同じく外周壁、２０は外周壁１８の直線部と平行に形成された仕切り壁、２２は光ファイバ心線１２Ａ、１２Ｂの導入部である。底板１６と、外周壁１８の直線部と、仕切り壁２０は、光ファイバ心線接続部１４を収納する収納凹部２４を構成している。外周壁１８及び仕切り壁２０の上端には、図８に示すように、内向きに接続部１４の飛び出しを防止する突片２６が形成されている。
【０００３】
なお光ファイバ心線１２Ａ、１２Ｂは複数ターン巻回した状態で収納ケース１０に収納されるが、図７では図を簡略化するため、光ファイバ心線１２Ａ、１２Ｂの巻回状態は図示を省略してある。
【０００４】
【発明が解決しようとする課題】
従来の光ファイバ心線接続部収納ケース１０は、以上のように収納凹部２４に光ファイバ心線接続部１４全体を落とし込む構造であるため、いったん光ファイバ心線接続部１４を収納凹部２４に収納してしまうと、収納凹部２４から接続部１４を取り出すことが困難である。このため保守作業等のために接続部１４を収納凹部２４から取り出す必要が生じたときは、接続部１４を竹串などでこじって取り出すようにしているが、接続部１４の取り出しに竹串などを使用すると、その付近の光ファイバ心線１２Ａ、１２Ｂを傷つける危険性がある。
【０００５】
したがって本発明の目的は、収納凹部に収納された光ファイバ心線接続部を容易に、安全に取り出すことが可能な光ファイバ心線接続部収納ケースを提供することにある。
【０００６】
【課題を解決するための手段】
この目的を達成するため本発明は、底板と、そこから立ち上がる平行な壁によって形成された光ファイバ心線接続部の収納凹部を備えた光ファイバ心線接続部収納ケースにおいて、前記収納凹部の長さ方向の中央部から一端側に片寄った位置に接続部引き上げ片を設けてなり、この接続部引き上げ片は、前記収納凹部と同様に底板及び平行な壁を有し、一方の壁の上端部が前記収納凹部の一方の壁の上端部と一体化され、それ以外の部分が前記収納凹部の底板及び壁から切り離されて、一方の壁の上端部が固定端、他方の壁の上端部が自由端となっており、全体として可とう性を有していることを特徴とするものである（請求項１）。
このようにすると、接続部引き上げ片の自由端を引き上げることにより、収納凹部から光ファイバ心線接続部を取り出すことができる。また光ファイバ心線接続部を一端側から取り出すことができるので、取り出しが容易になる。
【０００８】
また本発明の光ファイバ心線接続部収納ケースは、収納凹部の一方の壁に、接続部引き上げ片によって収納凹部から光ファイバ心線接続部の一端側が引き上げられたときに、光ファイバ心線接続部の下側へ入り込んで光ファイバ心線接続部の落ち込みを防止する弾性舌片が形成されている構成とすることが好ましい（請求項２）。
このようにすると、光ファイバ心線接続部の一端側を取り出した後、接続部引き上げ片の自由端を離しても、光ファイバ心線接続部が収納凹部に落ち込むことがなくなるため、取り出しが容易になる。
【０００９】
また本発明の光ファイバ心線接続部収納ケースは、収納凹部の壁の上端に、光ファイバ心線接続部が収納凹部に収納されているときは光ファイバ心線接続部の飛び出しを防止し、接続部引き上げ片によって収納凹部から光ファイバ心線接続部の一端側が引き上げられたときは、光ファイバ心線接続部の下側へ入り込んで光ファイバ心線接続部の落ち込みを防止する突片が形成されている構成とすることもできる（請求項３）。
このような構成でも、光ファイバ心線接続部の一端側を取り出した後、接続部引き上げ片の自由端を離しても、光ファイバ心線接続部が収納凹部に落ち込むことがなくなるため、取り出しが容易になる。
【００１０】
【発明の実施の形態】
以下、本発明の実施形態を図面を参照して詳細に説明する。
〔実施形態１〕
図１ないし図４は本発明の一実施形態を示す。図１ないし図４において、先に説明した図７及び図８と同一部分には同一符号を付してある。図１ないし図４では光ファイバ心線接続部収納ケースの収納凹部付近だけを示しているが、他の構成は従来公知の光ファイバ心線接続部収納ケースと同様である。
【００１１】
この収納ケース１０が従来のものと大きく異なる点は、収納凹部２４の長さ方向の中央部から一端側に片寄った位置に、接続部引き上げ片３０が設けられていることである。接続部引き上げ片３０は、収納凹部２４と同様に、底板１６ａと二つの平行な壁１８ａ、２０ａとで凹形に形成されている（図３（ａ）参照）。
【００１２】
この接続部引き上げ片３０の一方の壁１８ａの上端部は、収納凹部２４の外周壁１８の上端部と一体化され、それ以外の部分は、収納凹部２４の底板１６、外周壁１８及び仕切り壁２０から切り離されている。すなわち、上記のような接続部引き上げ片３０を形成するため、収納凹部２４の底板１６には穴３２が形成され、外周壁１８には１対のスリット３４が穴３２と連続して形成され、かつ仕切り壁２０には途中に切欠き部が設けられている。これにより接続部引き上げ片３０の一方の壁１８ａの上端部は固定端となり、他方の壁２０ａの上端部は自由端となっている。
【００１３】
また接続部引き上げ片３０の底板１６ａ及び壁１８ａ、２０ａの厚さは、収納凹部２４を構成する底板２４、外周壁１８及び仕切り壁２０の厚さより薄くなっており、これにより接続部引き上げ片３０は全体として可とう性を有している。また接続部引き上げ片３０の自由端側の壁２０ａは仕切り壁２０の上端より高く突出しており、かつこの壁２０ａの上端には横方向にツマミ３６が突設されている。
【００１４】
また底板２４に形成された穴３２は、接続部引き上げ片３０の片側で広くなっており、仕切り壁２０の途中の切欠き部には前記穴３２の上に位置するように弾性舌片３８が形成されている。この弾性舌片３８は図１（ａ）に示すように仕切り壁２０から収納凹部２４内に折れ曲がるように形成されている。また弾性舌片３８の端部の上側角部には図１（ｃ）に示すように面取り４０が施されている。
なお４２は光ファイバ心線接続部１４の長さ方向の移動範囲を規制するストッパーであり、これは従来公知のものである。
【００１５】
この接続部収納ケース１０は以上のように構成されているため、光ファイバ心線接続部１４が収納凹部２４内に収納されているときは、図１（ａ）のように弾性舌片３８が接続部１４を外周壁１８に押し付けるように作用するので、接続部１４のガタつきが少ないという利点がある。そして、収納凹部２４から接続部１４を取り出すときは、ツマミ３６を摘んで接続部引き上げ片３０を図３（ｂ）の二点鎖線ように引き上げると、図４のように接続部１４の一端側が持ち上がり、これがある程度まで進行すると、弾性舌片３８の復元力により面取り部４０が接続部１４の下側へ入り込むようになる。こうなると引き上げ片３０を離しても接続部１４が収納凹部２４に落ち込まなくなるので、接続部１４をつかんで簡単に収納凹部２４外に取り出すことができる。
【００１６】
〔実施形態２〕
図５は本発明の他の実施形態を示す。図５は実施形態１の図４に相当する図であり、図４と同一部分には同一符号を付してある。この実施形態は、引き上げ片３０により接続部１４の一端側を持ち上げたときに、接続部１４の一端側が飛び出し防止用の突片２６（可とう性がある）を押し退けて当該突片２６の上に乗ることによって、接続部１４が収納凹部２４に落ち込まなくなるようにしたものである。このようにすると、実施形態１における弾性舌片３８を省略することができる。
上記以外の構成は実施形態１と同様である。このような構成でも実施形態１と同様な効果を得ることができる。
【００１７】
〔実施形態３〕
図６は本発明のさらに他の実施形態を示す。図６（ａ）、（ｂ）は実施形態１の図１（ａ）、（ｃ）に相当する図であり、図１と同一部分には同一符号を付してある。この実施形態は、外周壁１８の内側に仕切り壁２０を２本平行に形成することにより、２本の収納凹部２４を設けたものである。接続部引き上げ片３０及び弾性舌片３８等は２本の収納凹部２４の間で互い違いになるように形成されている。
【００１８】
上記以外の構成は実施形態１と同様である。このような構成にすると、光ファイバ心線接続部１４を２本収納することができ、実施形態１と同様な効果を得ることができる。同様にして仕切り壁２０を３本以上形成すれば、３本以上の光ファイバ心線接続部を収納することが可能である。
【００１９】
【発明の効果】
以上説明したように本発明によれば、収納凹部の長さ方向の中央部から一端側に片寄った位置に接続部引き上げ片を設けたことにより、収納凹部に収納されている光ファイバ心線接続部を、その付近の光ファイバ心線に傷をつけることなく、取り出すことができると共に、光ファイバ心線接続部を一端側から取り出すことができるので、取り出しを容易に行うことができる。
【図面の簡単な説明】
【図１】本発明に係る光ファイバ心線接続部収納ケースの一実施形態の要部を示す、（ａ）は平面図、（ｂ）は正面図、（ｃ）は（ａ）のＡ−Ａ線における断面図。
【図２】図１（ｂ）のＢ−Ｂ線における断面図。
【図３】（ａ）は図１（ｃ）のＣ−Ｃ線における断面図、（ｂ）は（ａ）の接続部引き上げ片を引き上げたときの状態を示す断面図。
【図４】図１（ｃ）の状態から接続部引き上げ片を引き上げたときの状態を示す断面図。
【図５】本発明の他の実施形態で、接続部引き上げ片を引き上げたときの状態を示す断面図。
【図６】本発明のさらに他の実施形態の要部を示す、（ａ）は平面図、（ｂ）は（ａ）のＡ−Ａ線における断面図。
【図７】従来の光ファイバ心線接続部収納ケースを示す平面図。
【図８】図７のＡ−Ａ線における断面図。
【符号の説明】
１０：光ファイバ心線接続部収納ケース
１２Ａ、１２Ｂ：光ファイバ心線
１４：接続部
１６：底板
１８：外周壁
２０：仕切り壁
２４：収納凹部
２６：飛び出し防止用突片
３０：接続部引き上げ片
１６ａ：底板
１８ａ、２０ａ：壁
３２：穴
３４：スリット
３６：ツマミ
３８：弾性舌片
４０：面取り部
【図１】
0003607144.tif 000002
【図２】
0003607144.tif 000003
【図３】
0003607144.tif 000004
【図４】
0003607144.tif 000005
【図５】
0003607144.tif 000006
【図６】
0003607144.tif 000007
【図７】
0003607144.tif 000008
【図８】
0003607144.tif 000009